(57)【特許請求の範囲】
【請求項１】
モータと、モータの駆動軸に連結される回転羽根と、回転羽根を収容するポンプハウジングとを有する排水ポンプであって、
回転羽根は、モータの駆動軸に連結されるモータ取付軸部から放射状に突出させた複数の平板状の大径羽根と、上記モータ取付軸部と同軸の小径羽根軸部から放射状に突出する複数の平板状の小径羽根とを備え、
上記大径羽根の外周に空間を具備すると共に、上記小径羽根軸部は円筒形状に形成されかつ上記空間は、上記大径羽根の外周部を連結する外側円筒壁部材と、大径羽根の上縁部に沿って外側円筒壁部材の上端部から径方向内側へ延びる環状部材と、
上記環状部材の内周端から上記外側円筒壁部材に対向して延びる内側円筒壁部材によって形成されてなることを特徴とする排水ポンプ。
【請求項２】
上記小径羽根軸部と上記小径羽根とは先細りのテーパ形状に形成したことを特徴とする請求項１記載の排水ポンプ。
【請求項３】
大径羽根の下縁部にリング部材を設けてなる請求項１及び請求項２記載の排水ポンプ。
【発明の詳細な説明】
【０００１】
【発明の属する技術分野】
本発明は排水ポンプ、特に空調機等のドレン水等を排水する排水ポンプに関する。
【０００２】
【従来の技術】
空調機の室内ユニットは、冷房運転時に熱交換器に空気中の水分が凝縮して付着し、熱交換器の下方に設けられるドレンパン内に滴下する。このドレンパン内に溜ったドレン水を排水するために排水ポンプが装備される。この排水ポンプに関しては、従来各種のものが提案されており、この種のポンプとして次のものがある。即ち、下部に吸込口を形成し、上部を開口すると共に、側方に吐出口を設けたハウジング内に羽根を回転自在に設け、この羽根をハウジングの開口の上部にカバーを介して固定したモータにより回転させている。そのモータの回転軸は、カバーを回転自在に貫通して羽根の軸部に連結され、上記カバーには大気とハウジングとを連通する貫通穴が設けられている。これにより、モータを駆動して、羽根が回転すると、ドレンパン内に貯溜したドレン水は、吸込口の羽根の下端から吸込まれ、遠心力により、ハウジング内面に沿って揚水され、ケーシングの吐出口から外部に吐出される。
【０００３】
【発明が解決しようとする課題】
かかる従来の排水ポンプにおいては、ドレン水が流入して排水が始まると騒音が発生する問題点を有している。これは、羽根の周囲に液体内から気泡が発生し、この気泡の羽根やハウジングの内面等への衝突に基づくものである。更に、羽根下部において、吸込口付近のドレン水の水流の乱れ、さらにはドレン水の水掻によって生じるものである。
本発明は、上記問題点を解消する排水ポンプを提供するものである。
【０００４】
【課題を解決するための手段】
本発明に係る排水ポンプは、モータと、モータの駆動軸に連結される回転羽根と、回転羽根を収容するポンプハウジングとを有する排水ポンプであって、回転羽根は、モータの駆動軸に連結されるモータ取付軸部から放射状に突出させた複数の平板状の大径羽根と、上記モータ取付軸部と同軸の小径羽根軸部から放射状に突出する複数の平板状の小径羽根とを備え、上記大径羽根の外周に具備すると共に、上記小径羽根軸部は円筒形状に形成される。そして、上記空間は、大径羽根の外周部を連結する外側円筒壁部材と大径羽根の上縁部に沿って外側円筒壁部材の上端部から径方向内側へ延びる環状部材と、上記環状部材の内周端から上記外側円筒壁部材に対向して延びる内側円筒壁部材とによって形成されていることを特徴とする。
この回転羽根を備えることにより、水流や気泡がハウジングや羽根に衝突して生じる騒音を空間に封止し、騒音を低減できる。
【０００５】
【発明の実施の形態】
図１は、本発明の排水ポンプの構成を断面した側面図である。
全体を符号１で示す排水ポンプは、モータ１０と、モータ１０に対して下方にブラケット２０を介してとりつけられるポンプ本体３０とを有する。ブラケット２０は、ポンプハウジングの上部部材であるカバー３２と一体に形成され、カバー３２はシール部材３４を介してポンプハウジング４０に連結される。
ポンプハウジング４０は、樹脂でつくられるもので、吸込口４２、ポンプ室４４、吐出口４６を有する。
【０００６】
ポンプハウジング４０内に装備される回転羽根５０は、モータ取付軸部５２と、軸部５２の外周から放射状に突出させた平板状の４枚の大径羽根６０と、モータ取付軸部５２の中心軸と同軸の小径羽根軸部５５を中心としてその外周から放射状に突出した複数の平板からなる大径羽根６０より径の小なる小径羽根５４を有する。
而して、小径羽根軸部５５は、円筒形状に構成され、図２の回転羽根５０の斜視図に示す如く、円筒形状の軸部５５に小径羽根５４が突出して形成されている。なお、実施例では、４枚の小径羽根５４が円筒形状の軸部５５に形成されている場合を示す。
【０００７】
モータ取付軸部５２は、カバー３２の中央に形成される貫通穴３６を通ってモータ１０側へ突出し、モータ取付軸部５２に設けた穴５３にモータ１０の駆動軸１２が挿入される。モータ取付軸部５２の上面には水切円板１４をとりつけて、カバー３２の貫通穴３６から噴出するドレン水がモータ１０側へ飛散するのを防止する。
【０００８】
回転羽根５０の小径羽根５４は、ポンプハウジング４０のパイプ状の吸入口４２内に挿入される。吸込口４２の吸込端部４３は、開口端に向かって内径寸法が絞られるテーパ面に形成されており、小径羽根５４の先端部も先細りのテーパ面５６に形成されている。ポンプハウジング４０のポンプ室４４内には回転羽根５０の大径羽根６０が収容される。
【０００９】
図２は回転羽根５０の斜視図、図３は回転羽根５０の下面図、図４は回転羽根５０の上面図、図５は回転羽根５０の側面図、図６は図４のＡ−Ａ断面図、図７は図４のＤ−Ｄ断面図、図８は図４のＥ−Ｅ断面図、図９は図８のＦ部の詳細図である。
かかる回転羽根５０は樹脂により一体的に構成され、大径羽根６０の枚数は、４枚の平板の場合を示しているが、その枚数は、適宜に選定される。なお、小径羽根５４の枚数も適宜に選定される。図２に示す形状の回転羽根５０は、その大径羽根６０及び小径羽根５４がそれぞれポンプ室４４及びパイプ状の吸込口４２内にポンプハウジング４０の内面に接しないように小間隙を保持して収容され、回転される。したがって、ポンプハウジング４０は回転羽根５０の形状にならって構成されるのは勿論であり、パイプ状の吸込口４２とポンプ室４４は曲面４５により連続しているのである。しかも、回転羽根５０の大径羽根６０の外周部にはリング状の空間７０が形成されている。
【００１０】
図に詳細を示すように、この空間７０は、平板状の大径羽根６０の外周部を覆う外側円筒壁部材６４と、円筒部６４の上端部から大径羽根６０の上縁に沿って内側へ延びる環状部材６２と、環状部材６２の内周端から下側へ延びて、外側円筒壁部材６４に対向する内側円筒壁部材６６とで囲まれて形成される。
回転羽根５０の小径羽根軸部５５と小径羽根５４の先端部は、先細りのテーパ面５６に形成される。
大径羽根６０の間には外側円筒壁部材６４から内側へ延びる補助羽根６８が設けられ、ポンプの揚程能力を助成する。
【００１１】
また、大径羽根６０の下縁部にはリング部材８０が設けられる。このリング部材８０は、その内周部と小径羽根軸部５５との間に上下貫通する中空部７２を形成するとともに、内側円筒壁部材６６との間にもスリット７４を形成する。
かかる回転羽根５０を有する排水ポンプ１は、空調機が運転されると、空調機の室内機におけるドレンパン内のドレン水を小径羽根５４で吸込口４２より吸い上げ、大径羽根６０によりドレン水はポンプ室４４の曲面４５に沿って円滑に吐出口４６から排出される。
【００１２】
この際、空間７０は、ドレン水がポンプハウジングのカバー３２側へ飛散するのを防止すると共に、回転羽根５０とドレン水が接触することによって生ずる騒音を回転羽根内に封止することができ、低騒音の空調機とすることができる。
吸込口４２において、小径羽根５４で吸い上げられるドレン水は、小径羽根軸部５５の円筒部により、その吸込量が制限され、小径羽根５４との接水面積を減少せしめることができ、ドレン水流の乱れが少なくなって、その流れが均一化し、水の掻き混ぜによる騒音が減少する。
【００１３】
さらに、テーパ面５６を形成することで、吸込口４２との間隙を広くでき、小径羽根５４の羽根下部による水の掻き混ぜを減らし、低騒音化できる。
排水ポンプ１が停止したときは、揚水しているドレン水は吐出口４６からポンプ室４４に逆流する。この逆流するドレン水は、空間７０を構成する外側円筒壁部材６４に突き当たり、その緩衝により、徐々にポンプハウジング４０内に拡散されることとなって、上記逆流する水に起因する騒音を低減できる。
【００１４】
また、小径羽根５４で吸い上げられるドレン水は、リング部材８０によって、その液面がほぼ上下に分断され大径羽根６０に接する水の量が減少し、それにより気泡の発生が少なくなり、騒音が低減される。
なお、大径羽根６０に形成される空間７０については、図９に示すように大径羽根の外周部に配設される外側円筒部壁部材６４と大径羽根の上縁部に配設される環状部材６２で形成し、内側円筒壁部材６６を省略してもよいのである。この空間７０にあっても、騒音等を大径羽根内に封止することができることとなり、低騒音化できるのである。
【００１５】
【発明の効果】
本発明の排水ポンプは以上のように構成したので、平板状の大径羽根と大径羽根に連続する平板状の小径羽根とを有する回転羽根を備え、この回転羽根の大径羽根の外周部に空間を設けていることで、水流や気泡がポンプハウジングや羽根に衝突して生じる騒音を封止することができる。
また、円筒形状の小径羽根軸部によりドレン水の吸込量を制限し、ドレン水の流れを均一化することができ、騒音を減少させることができる。
さらに、小径羽根軸部と小径羽根はその先端がテーパ面とすることにより、ドレン水量の撹拌による騒音を低減することができる。
【図面の簡単な説明】
【図１】本発明の排水ポンプを一部断面にして示す側面図。
【図２】回転羽根の斜視図。
【図３】回転羽根の下面図。
【図４】回転羽根の上面図。
【図５】回転羽根の側面図。
【図６】図４のＡ−Ａ断面図。
【図７】図４のＤ−Ｄ断面図。
【図８】図４のＥ−Ｅ断面図。
【図９】図８のＦ部の詳細図。
【符号の説明】
１  排水ポンプ
１０  モータ
２０  ブラケット
３０  ポンプ本体
３２  カバー
３６  貫通穴
４０  ポンプハウジング
４２  吸込口
４４  ポンプ室
４６  吐出口
５０  回転羽根
５４  小径羽根
５５  小径羽根軸部
６０  大径羽根
６２  環状部材
６４  外側円筒壁部材
６６  内側円筒壁部材
７０  空間
８０  リング部材
【図１】
0003647939.tif 000002
【図２】
0003647939.tif 000003
【図３】
0003647939.tif 000004
【図４】
0003647939.tif 000005
【図５】
0003647939.tif 000006
【図６】
0003647939.tif 000007
【図７】
0003647939.tif 000008
【図８】
0003647939.tif 000009
【図９】
0003647939.tif 000010